(57)【特許請求の範囲】
【請求項１】
通信回線を通じて受信されたデータの受信履歴を表示する受信履歴表示装置であって、
前記受信履歴が表示される表示部と、
前記受信されたデータが複数に分割されたデータで、かつその複数に分割されたデータに各々のデータの関係性を示す情報が付加されている場合に、前記関係性を示す情報に基づいて、前記複数に分割されたデータの受信履歴を１通信分の受信履歴で前記表示部に表示させる制御部と、
を備え、
前記制御部は、前記複数に分割されたデータの受信状態として２以上の受信状態が混在するときは、その混在する２以上の受信状態の中から所定の優先順に従って選択した１つの受信状態のみを前記複数に分割されたデータを代表する受信状態として前記１通信分の受信履歴に表示する
ことを特徴とする受信履歴表示装置。
【請求項２】
前記制御部によって前記表示部に表示される表示画面には、前記複数に分割されたデータの受信履歴が前記１通信分の受信履歴で表示される第１表示画面と、前記複数に分割されたデータの受信履歴がデータ毎に表示される第２表示画面とが含まれ、
前記表示部に表示される表示画面を前記第１表示画面または前記第２表示画面に切り換えるための操作部を更に備える
ことを特徴とする請求項１に記載の受信履歴表示装置。
【請求項３】
前記関係性を示す情報には、前記複数に分割されたデータの分割元が同一であることを示す識別情報が含まれ、かつ、分割数、分割順序、およびデータ送信時のページ数のうちの少なくとも１つが含まれ得る
ことを特徴とする請求項１または２に記載の受信履歴表示装置。
【請求項４】
請求項１乃至３のいずれか１項に記載の受信履歴表示装置を備えたデータ受信装置。
【発明の詳細な説明】
【技術分野】
【０００１】
本発明は、通信回線を通じて受信されたデータの受信履歴を表示する受信履歴表示装置、およびその受信履歴表示装置を備えたデータ受信装置に関する。
【背景技術】
【０００２】
インターネットなどのネットワーク回線を利用し電子メールに画像データなどを添付してファックス送受信するネットワークファックスの場合、回線の通信速度が高速であることから高解像度かつ大量ページの原稿でも送受信可能である。このネットワークファックス機能を備えたファクシミリ機やファクシミリ複合機には、ネットワークファックスにて送信するデータ（添付ファイル）のサイズが大きくなる場合に、ネットワーク管理サーバのストレージ容量などの制限に応じてデータを複数に分割して送信し、受信装置側ではそれらを結合して１つのデータとして扱うバイナリ分割機能が一般的に搭載されている。
【０００３】
しかし、データ量を基準にして分割するバイナリ分割の場合、受信装置側では分割して送信されたデータを全て受信しないとバイナリ結合することができない。そのため、ＨＤＤ（Hard Disk Drive）やメモリの残り空き容量が少ないなど、受信装置側に障害が発生すると印刷出力できなくなってしまう。
【０００４】
この欠点を解決するために、送信するデータをサーバの制限値に従って適切なサイズになるようにページの区切りで分割して複数の電子メールにより送信するページ分割機能も採用されている。これにより、受信装置側では分割されたデータ毎の印刷出力が可能になり、ＨＤＤやメモリの残り空き容量が少ないときでも印刷出力できるようになる。
【０００５】
また、ネットワークファックスにおけるファックス受信履歴（受信日時、発信者名、受信結果など）の表示は、ページ分割機能によって分割されたデータと非分割のデータとの受信履歴が区別されることなく受信順に表示され、ページ分割については個別に受信した各データの受信履歴が全件表示されるようになっている。
【０００６】
一方、通信に伴って生成される通信履歴情報の中から、各電文につけられた多岐にわたる属性をもとにして、目的とする履歴情報を能率よく検索抽出できるようにする技術が開示されている（たとえば、特許文献１参照）。具体的には、通信履歴として記憶部に格納されている多数の送信電文情報ファイルあるいは受信電文情報ファイルについて、引き出そうとする情報の手がかりとなる１つあるいは複数のデータ項目（各電文ごとの送信日時・受信日時・発信者名・宛先名・電文名称・電文ページ数・電文種別・電文モード・通信結果などの項目）を検索条件として指定入力すると、そのデータ項目が複数ある場合にはそれらデータ項目をアンド条件として記憶部を検索し、該当する送信／受信電文情報ファイルを抽出し、それを所定フォームの通信履歴一覧レポートに編成して表示または印刷するようにしている。
【０００７】
【特許文献１】特開平９−２９４１９８号公報
【発明の開示】
【発明が解決しようとする課題】
【０００８】
上記のように、ネットワークファックスにおいてページ分割されたデータのファックス受信履歴は、非分割のデータと区別されることなく単純に受信順に全件表示されるため、表示が煩雑になる。さらに、ページ分割された複数のデータ（電子メール）が分割順序に従って送信されたとしても、ネットワーク経路の違いなどで分割順序通りに受信されないことがあり、関連する受信履歴が分割順序通りに並んで表示されない、あるいは途中に関連性の無い他の受信履歴が入ってしまうなど、表示の煩雑性が増してしまうこともある。
【０００９】
そのため、受信履歴の確認や関連する受信履歴同士の対応付けが困難になり、受信装置側で出力した印刷物に記載される発信元情報のページ数と受信履歴の対応が取れなくなるといった不都合を生じることもある。このように、ネットワークファックスにおけるページ分割と非分割のファックス受信履歴を区別せずに表示する方法では、煩雑な表示の中から所望する受信履歴を探し出すことが困難な状況である。
【００１０】
また、ページ分割されたデータに関する複数の受信履歴を特許文献１の技術によって検索抽出する場合、検索条件によっては、一覧表示される検索結果の中に当該ページ分割とは無関係の受信履歴が含まれる可能性がある。また、検索条件を指定入力する必要があるため操作が複雑になり、所望する履歴情報のみを簡単かつ確実に探し出すことはできない。
【００１１】
本発明は、上記の問題を解決しようとするものであり、複数に分割されたデータの受信履歴を見やすく表示することができる受信履歴表示装置およびデータ受信装置を提供することを目的としている。
【課題を解決するための手段】
【００１２】
かかる目的を達成するための本発明の要旨とするところは、次の各項の発明に存する。
【００１３】
［１］通信回線を通じて受信されたデータの受信履歴を表示する受信履歴表示装置であって、
前記受信履歴が表示される表示部と、
前記受信されたデータが複数に分割されたデータで、かつその複数に分割されたデータに各々のデータの関係性を示す情報が付加されている場合に、前記関係性を示す情報に基づいて、前記複数に分割されたデータの受信履歴を１通信分の受信履歴で前記表示部に表示させる制御部と、
を備え、
前記制御部は、前記複数に分割されたデータの受信状態として２以上の受信状態が混在するときは、その混在する２以上の受信状態の中から所定の優先順に従って選択した１つの受信状態のみを前記複数に分割されたデータを代表する受信状態として前記１通信分の受信履歴に表示する
ことを特徴とする受信履歴表示装置。
【００１４】
上記発明では、受信されたデータが複数に分割されたデータで、かつその複数に分割されたデータに各々のデータの関係性を示す情報が付加されている場合には、その関係性を示す情報に基づいて、複数に分割されたデータの受信履歴が１通信分の受信履歴で表示される。これにより、複数に分割されたデータの受信履歴が見やすくなり、受信履歴の確認や検索などを簡単に行えるようになる。さらに、複数に分割されたデータの受信状態として２以上の受信状態が混在するときは、その混在する２以上の受信状態の中から所定の優先順に従って選択した１つの受信状態のみを、複数に分割されたデータを代表する受信状態として１通信分の受信履歴に表示する。
【００１５】
［２］前記制御部によって前記表示部に表示される表示画面には、前記複数に分割されたデータの受信履歴が前記１通信分の受信履歴で表示される第１表示画面と、前記複数に分割されたデータの受信履歴がデータ毎に表示される第２表示画面とが含まれ、
前記表示部に表示される表示画面を前記第１表示画面または前記第２表示画面に切り換えるための操作部を更に備える
ことを特徴とする［１］に記載の受信履歴表示装置。
【００１６】
上記発明では、操作部からの操作で表示部に表示される画面を第１表示画面または第２表示画面に切り換えることができる。第１表示画面では、複数に分割されたデータの受信履歴が１通信分として一括表示されるため、関連する複数通信分の包括的な受信履歴を確認することができる。また第２表示画面では、複数に分割された各データの受信履歴が個別表示されるため、各データの詳細な受信履歴を確認することができる。受信履歴の確認や検索では、必要に応じて第１／第２表示画面を切り換えることにより、所望の受信履歴（検索結果）に簡単に辿り着けるようになる。
【００１７】
［３］前記関係性を示す情報には、前記複数に分割されたデータの分割元が同一であることを示す識別情報が含まれ、かつ、分割数、分割順序、およびデータ送信時のページ数のうちの少なくとも１つが含まれ得る
ことを特徴とする［１］または［２］に記載の受信履歴表示装置。
【００１８】
上記発明では、関係性を示す情報に含まれている識別情報に基づいて、分割元が同一であるデータを識別し、識別した各データの受信履歴を１通信分として表示することができる。
【００１９】
また、関係性を示す情報に分割数が含まれている場合には、分割数に基づいて全データの受信完了／未完了を把握でき、通信エラーによるデータの受信異常なども認識できるようになる。分割順序が含まれている場合には、複数に分割されたデータの受信順序が分割順序と異なっても、受信した各データを元の順序に並べ替えて表示するなどが可能になる。データ送信時のページ数が含まれている場合には、そのページ数を表示することで最終的に届くページ数を予め把握でき、残りの通信数などを予測できるようになる。
【００２０】
［４］［１］乃至［３］のいずれか１項に記載の受信履歴表示装置を備えたデータ受信装置。
【００２１】
上記発明では、通信回線を通じてデータを受信する機能を備えたデータ受信装置において、複数に分割されたデータを受信した場合にその受信履歴が受信履歴表示装置に見やすく表示されるようになる。
【発明の効果】
【００２２】
本発明に係る受信履歴表示装置およびデータ受信装置によれば、複数に分割されたデータの受信履歴を見やすく表示することができる。
【発明を実施するための最良の形態】
【００２３】
以下、図面に基づき本発明の実施の形態を説明する。
【００２４】
図１は、本発明の実施の形態に係る受信履歴表示装置２５を備えた画像形成装置１０の制御系の構成を示している。
【００２５】
画像形成装置１０は、原稿を読み取って対応する画像を用紙上に印刷して出力するコピー機能や、スキャナ機能、プリンタ機能、ファクシミリ機能などを備えた複合機として構成されている。また画像形成装置１０は、スキャンした原稿の画像データなどを電子メールの添付ファイルとしてイントラネットやインターネットを経由して送受信するインターネットファックス機能（ｉＦＡＸ機能）、インターネットファックスにて送信する画像データのサイズがメールサーバの制限値を超える場合に、その制限値に従って適切なサイズとなるように画像データをページの区切りで分割して複数の電子メールにより送信するページ分割（送信）機能、ファクシミリ（ＦＡＸ）やインターネットファックスにおける送受信の履歴（通信記録）を表示する通信履歴表示機能を備えている。
【００２６】
図１に示すように、画像形成装置１０は、ＣＰＵ（Central Processing Unit）１１と、ＲＯＭ（Read  Only Memory）１２と、ＲＡＭ（Random Access Memory）１３と、入出力バッファ１４と、ＨＤＤ１５と、履歴情報格納部１６と、メールヘッダ解析部１７と、画像タグ解析部１８と、操作表示部１９と、読取部２０と、印刷部２１と、ネットワークインターフェース部２２とを備えており、それらはデータを伝送するためのバス２３を介して相互に接続されている。さらに画像形成装置１０は時計部２４を備えており、時計部２４はバス２３に接続されている。
【００２７】
ＣＰＵ１１は、演算処理機能、および画像形成装置１０の動作を制御する制御部としての機能を備えている。ＲＯＭ１２は、ＣＰＵ１１が実行する演算処理や制御に関するプログラムや、プログラムを実行する際に使用する各種データなどを格納する機能を果たす。
【００２８】
ＲＡＭ１３は、ＣＰＵ１１の作業領域として一時的にプログラムやデータを記憶する機能、およびスキャン動作で読み取った画像データを一時的に格納する画像メモリとしての機能を果たす。入出力バッファ１４は、画像形成装置１０内の各部でデータがやり取りされるときの処理速度や転送速度の差を補うために、入力されたデータや出力するデータを一時的に記憶するバッファ機能を果たす。
【００２９】
ＨＤＤ１５は、ＯＳ（Operating System）やＯＳ上で動作するアプリケーション・プログラムなどの各種プログラム、画像データなどを含む各種データ、画像形成装置１０の製造メーカ名、機種名、シリアル番号などの機種固有の各種パラメータなどを格納する機能を果たす。ＨＤＤ１５に格納されているプログラムは、画像形成装置１０の立ち上げ時にＣＰＵ１１内の起動プログラムが実行されることで、ＨＤＤ１５内からＲＡＭ１３に展開されて動作するようになっている。
【００３０】
履歴情報格納部１６は、ファクシミリやインターネットファックスにおける送受信の履歴を表示するための履歴情報を格納する機能を果たす。
【００３１】
メールヘッダ解析部１７は、インターネットファックスにより受信した電子メールのヘッダ情報を解析する機能を果たす。画像タグ解析部１８は、インターネットファックスにより受信した電子メールに添付されている画像データのヘッダ情報（タグ）を解析する機能を果たす。
【００３２】
操作表示部１９は、画面表示およびタッチ操作が可能なタッチパネル式のオペレーションパネルとして構成されており、画像形成装置１０の動作状態や操作方法、警告、エラー、ファクシミリやインターネットファックスにおける送受信の履歴などに関する各種表示を行うと共に、ユーザからの入力操作を受け付ける機能を果たす。
【００３３】
読取部２０は、スキャン動作にて原稿を読み取る機能を果たす。印刷部２１は、画像データに基づく画像を電子写真プロセスにより用紙に印刷して出力する機能を果たす。
【００３４】
ネットワークインターフェース部２２は、ネットワークを介して接続されたE‐mailサーバ４０を含む外部機器との間で行う通信やデータの転送を制御する機能を果たす。時計部２４は、日付および時刻を刻む。
【００３５】
画像形成装置１０は上記の構成とされており、この画像形成装置１０が備える受信履歴表示装置２５は、ＣＰＵ１１、ＲＯＭ１２、ＲＡＭ１３、履歴情報格納部１６、メールヘッダ解析部１７、画像タグ解析部１８、操作表示部１９、ネットワークインターフェース部２２、時計部２４などを含んで構成されている。
【００３６】
また、E‐mailサーバ４０は、ネットワークを通じた電子メールの送受信を管理する機能を備えている。このE‐mailサーバ４０は、電子メールの送受信に対する制限値（上限値）として、送受信を許可する電子メール１通当たりの最大サイズが予め設定されている。
【００３７】
次に、画像形成装置１０の動作について説明する。
【００３８】
図２は、画像形成装置１０によるインターネットファックスの送信動作の処理の流れを示している。図３は、インターネットファックスにより送信される電子メールのヘッダと、その電子メールに添付される画像データのヘッダに付加されるヘッダ情報を示している。
【００３９】
画像形成装置１０のインターネットファックス機能を使って原稿を送信する場合には、ユーザは画像形成装置１０の読取部２０により原稿をスキャンした後に、操作表示部１９からの入力操作で宛先を指定しインターネットファックスによる送信を指示する。
【００４０】
送信側の画像形成装置１０では、スキャン動作で読み取った原稿の画像データをＣＰＵ１１がＲＡＭ１３に一旦、格納する。操作表示部１９にてインターネットファックスの送信指示を受けると（ステップＳ１０１）、ＣＰＵ１１はＲＡＭ１３に格納した画像データのサイズをE‐mailサーバ４０の制限値と比較して、画像データをページ分割して送信するか否かを判定する（ステップＳ１０２）。
【００４１】
データサイズがE‐mailサーバ４０の制限値以下の場合には、ＣＰＵ１１はページ分割を行わずに（ステップＳ１０２；Ｎｏ）、ＲＡＭ１３から画像データを読み出してインターネットファックスにより送信する（ステップＳ１０５）。詳細には、ＣＰＵ１１は所定のファイルＩＤ（ファイル名）を付与した１通の電子メールを作成し、その電子メールにＲＡＭ１３から読み出した画像データを添付すると共に指定された宛先（電子メールアドレス）を入力する。そしてその電子メールをネットワークインターフェース部２２を介してE‐mailサーバ４０に送信する。電子メールの送信を終えると、本処理を終了する。
【００４２】
電子メールに付与するファイルＩＤについては、ＣＰＵ１１がＨＤＤ１５から画像形成装置１０の製造メーカ名、機種名、シリアル番号などの情報を取得し、時計部２４からファイル作成時の日時情報（タイムスタンプ）を取得し、それらを任意に組み合わせてユニークなＩＤとなるように作成する。たとえば、機種名が「ｂｈ３５０」でファイル作成時の日時が「２００７年１月１０日９時５７分２５秒」の場合には、それらを組み合わせて、「ｂｈ３５０−２００７０１１００９５７２５」などのファイルＩＤを作成し、電子メールに付与する。
【００４３】
データサイズがE‐mailサーバ４０の制限値を超過する場合には、ページ分割を行って送信する（ステップＳ１０２；Ｙｅｓ）。詳細には、まずＣＰＵ１１が原稿の画像データをE‐mailサーバ４０の制限値以下となるように先頭ページから所定のページ数毎にページの区切りで分割する（ステップＳ１０３）。
【００４４】
このページ分割における分割条件は、ネットワークシステム管理者などがE‐mailサーバ４０の制限値に応じて予め設定する。たとえば、通常のモノクロ画像などで１ページ当たりのサイズが小さい画像データに対しては、単純に一定のページ数毎（たとえば、５ページ毎や１０ページ毎など）に分割する。この場合、たとえば総ページ数が１００ページの原稿の画像データを１０ページ毎に分割すると分割数は１０になる。また、カラー画像や写真などのように１ページ当たりのサイズが大きい画像データに対しては、分割するページ数の単位を１ページ当たりのサイズに応じて小さくするようにしてもよい（たとえば、２ページ毎など）。
【００４５】
続いてＣＰＵ１１は、ページ分割を行って得た分割後の各画像データ（以下、「分割画像データ」と呼ぶ）をインターネットファックスで送信するために、分割数と同数の電子メールを作成し、これらの電子メールに分割画像データを１つずつ添付する。また、各電子メールに添付された分割画像データの分割元が同一であることを識別可能とするために、各電子メールに同一のファイルＩＤを付与する。
【００４６】
上記例のように、総ページ数が１００ページの画像データを１０ページ単位で分割する場合には、この画像データを先頭ページから順に１０ページずつの１０個の分割画像データに分割する。電子メールは、分割数１０と同数である１０通を作成し、この１０通の電子メールに分割画像データを１つずつ添付する。そしてこの１０通の電子メールのファイルＩＤは、たとえば１０通とも「ｂｈ３５０−２００７０１１００９５７２５」などとして同一にする。
【００４７】
さらにＣＰＵ１１は、各分割画像データの相互間の関係性を示す情報を生成して各々の分割画像データに付加する（ステップＳ１０４）。詳細には、図３（Ａ）に示すように、各電子メールのヘッダに、その電子メールに添付される分割画像データの分割元となった画像データのページ数（ページ総数）およびその分割数と、該分割画像データのページ数（本メールのページ総数）と、該分割画像データが分割元の画像データの中で先頭から何番目の分割画像データであるかを示す分割順序（分割順位）とを付加する。なお、本実施の形態では「現メール」の分母が分割数を示し、分子が分割順序を示しており（現メール＝分割順序／分割数）、現メールに分割数と分割順序とを含ませている。また、図３（Ｂ）に示すように、電子メールに添付する画像データの各ページのヘッダに、画像データの総ページ数とページ番号とを付加する。
【００４８】
なお、図３では総ページ数が１００ページの画像データを１０ページ毎に分割する場合の電子メールのヘッダ情報と画像データの各ページのヘッダ情報とを例示している。
（Ａ）電子メールのヘッダ情報（分割順序が５番目の場合）
・ページ総数：１００
・分割数：１０
・本メールのページ総数：１０
・現メール：５／１０
（Ｂ）画像データの各ページのヘッダ情報（４５ページ目の場合）
・総ページ数：１００
・現ページ：４５ページ目
【００４９】
そしてＣＰＵ１１は、分割画像データを添付した各電子メールに、指定された宛先（電子メールアドレス）を入力し、各電子メールをネットワークインターフェース部２２を介してE‐mailサーバ４０に順次送信し（ステップＳ１０５）、本処理を終了する。
【００５０】
図４は、画像形成装置１０によるインターネットファックスの受信動作の処理の流れを示している。図５は、インターネットファックスのファックス受信履歴を表示するために履歴情報格納部１６に格納される履歴情報のデータ構造を示している。
【００５１】
ファックス受信履歴とは、ファックスの受信日時や受信データの属性情報などを含む通信記録のことである。本実施の形態では、ファックス受信履歴として表示される項目は（図７および図８参照）、（１）受信ＩＤ、（２）受信日時（（年／）月／日／時／分）、（３）発信元名、（４）発信元の電子メールアドレス、（５）受信開始時刻（時／分／秒）、（６）受信終了時刻（時／分／秒）、（７）受信ページ数、（８）受信／印刷出力の状態（結果）となっている。なお、これらの表示項目は一例であり、通信記録を把握できる任意の項目を表示すればよい。
【００５２】
また、履歴情報格納部１６には、図５に示す履歴リスト５０または履歴リスト６０を確保して、受信した電子メールのファイルＩＤと上記の各項目を表示するための履歴情報とを格納するようにしている。この履歴リスト５０、６０には、上記の表示項目のうちの（１）〜（４）の履歴情報が格納されるメインデータ格納部５０Ａ、６０Ａと、（５）〜（８）の履歴情報が格納されるサブデータ格納部５０Ｂ、６０Ｂとが設けられる。
【００５３】
ページ分割に対しては、分割数と同数のサブデータ格納部５０Ｂを設けた履歴リスト５０を確保して、（５）〜（８）に関する分割数分の履歴情報を各サブデータ格納部５０Ｂに格納するようにしている。すなわち、（５）〜（８）に関する分割数分の履歴情報は履歴リスト５０に一括して格納するようにしている。また非分割に対しては、１個のサブデータ格納部６０Ｂを設けた履歴リスト６０を確保して、そのサブデータ格納部６０Ｂに（５）〜（８）に関する１通信分の履歴情報を格納するようにしている。
【００５４】
また本実施の形態では、画像形成装置１０がページ分割／非分割に関わらずインターネットファックスによる送信メールを１通受信する毎に、図４に示す処理を行って履歴情報格納部１６の履歴リスト５０、６０に１通信分の履歴情報を格納するようにしている。
【００５５】
受信側の画像形成装置１０では、E‐mailサーバ４０からネットワークインターフェース部２２を介してインターネットファックスの送信メールを受信すると（ステップＳ１１１）、ＣＰＵ１１はその受信メールに添付されている画像データをＨＤＤ１５に一旦、格納する。
【００５６】
また、メールヘッダ解析部１７は受信メールのヘッダ情報を解析して解析結果をＣＰＵ１１に通知する。たとえば、受信メールのヘッダに、図３（Ａ）に示した画像データのページ総数、分割数、本メールに添付された分割画像データのページ総数、分割順序（現メール）が付加されていた場合にはそれらの情報を通知する。画像タグ解析部１８は受信メールに添付されている画像データのヘッダ情報（タグ）を解析して解析結果をＣＰＵ１１に通知する。たとえば、画像データのヘッダに、図３（Ｂ）に示した画像データの総ページ数、ページ番号（現ページ）が付加されていた場合にはそれらの情報を通知する。
【００５７】
ＣＰＵ１１は、通知された解析結果に基づいて、本受信メールに添付されている画像データがページ分割されたものであるか否かを判定する（ステップＳ１１２）。
【００５８】
メールヘッダ解析部１７からの通知に分割数または分割順序が含まれていた場合には、ＣＰＵ１１は本受信メールがページ分割によるメールであり、本受信メールに添付されている画像データはページ分割された分割画像データの１つであると判定する（ステップＳ１１２；Ｙｅｓ）。
【００５９】
ここで、ＣＰＵ１１はメールヘッダ解析部１７からの通知に含まれる分割順序を参照し、分割順序が１番目（たとえば、「現メール：１／Ｎ」図３（Ａ）参照）であった場合には、その１番目の分割画像データをＨＤＤ１５から読み出して印刷部２１に転送し印刷部２１に印刷を指示する。１番目でない場合には、メールヘッダ解析部１７からの通知に含まれる分割順序に１番目が現れるまで印刷を指示せず、１番目が現れた時点でその１番目の分割画像データをＨＤＤ１５から読み出して印刷部２１に転送し印刷を指示する。また、１番目以降はＨＤＤ１５から分割画像データを分割順序通りに読み出して印刷部２１に転送し分割順序に従った印刷を指示する。
【００６０】
なお、上記のように分割順序の１番目が現れた時点で直ちに印刷を指示する他に、たとえば、分割送信された電子メールを全通受信して画像データが揃うまで印刷を指示せず、画像データが揃った後に分割順序が１番目の分割画像データから分割順序通りに印刷部２１に転送して分割順序に従った印刷を指示するようにしてもよい。
【００６１】
印刷部２１は、ＣＰＵ１１による分割画像データの転送と印刷指示を受けると、分割画像データに基づく印刷出力を分割順序に従って実行する。これにより、元の画像データに対するページ順通りの印刷出力が行われるようになる。
【００６２】
またＣＰＵ１１は、本受信メールのファイルＩＤと同一のファイルＩＤを格納した履歴リスト５０（図５参照）が履歴情報格納部１６に存在するか否かを判定する（ステップＳ１１３）。
【００６３】
同一のファイルＩＤを格納した履歴リスト５０が無ければ（ステップＳ１１３；Ｎｏ）、ＣＰＵ１１は履歴情報格納部１６に図５に示す履歴リスト５０を新たに確保する（ステップＳ１１４）。
【００６４】
この履歴リスト５０には、１つのメインデータ格納部５０Ａと、分割数と同数（分割数Ｎの場合はＮ個）のサブデータ格納部５０Ｂとを設ける。
【００６５】
また、メインデータ格納部５０Ａには、受信メールのファイルＩＤを格納するためのファイルＩＤデータ格納領域５１と、受信ＩＤを格納するための受信ＩＤデータ格納領域５２と、受信日時を格納するための受信日時データ格納領域５３と、受信メールの発信元名を格納するための発信元名データ格納領域５４と、発信元の電子メールアドレスを格納するためのアドレスデータ格納領域５５とを設ける。サブデータ格納部５０Ｂには、受信開始時刻を格納するための受信開始時刻データ格納領域５６と、受信終了時刻を格納するための受信終了時刻データ格納領域５７と、受信メールに添付された画像データのページ数を格納するためのページ数データ格納領域５８と、受信から印刷出力までの状態（結果）を示すデータを格納するための状態データ格納領域５９とを設ける。さらに、分割数と同数設けたサブデータ格納部５０Ｂは分割順序に対応付けする。
【００６６】
たとえば、メールヘッダ解析部１７からの通知に含まれる現メールを示す情報（たとえば、現メール：１／Ｎ〜Ｎ／Ｎ）を参照して、分割順序が１番目の受信メールの履歴情報は１番目（１／Ｎ）のサブデータ格納部５０Ｂに格納し、分割順序が２番目の受信メールの履歴情報は２番目（２／Ｎ）のサブデータ格納部５０Ｂに格納し、・・・、分割順序がＮ番目の受信メールの履歴情報はＮ番目（Ｎ／Ｎ）のサブデータ格納部５０Ｂに格納するといった対応付けを行う。このような対応付けによって、履歴情報の格納場所（アドレス）が分割順序を示す情報となり、履歴リスト５０に分割順序を示すデータを別途格納しなくとも履歴情報の格納場所から分割順序を認識できるようになる。なお、このような対応付けに替えて、分割順序を示すデータを各サブデータ格納部５０Ｂに格納し、そのデータに基づいて分割順序を認識するようにしてもよい。
【００６７】
上記の履歴リスト５０を確保すると、ＣＰＵ１１はファックス受信履歴の表示に使用する履歴情報として、（１）受信ＩＤ、（２）受信日時、（３）発信元名、（４）発信元の電子メールアドレスの各データを作成し、メインデータ格納部５０Ａの対応する各データ格納領域５１〜５５に格納する。さらに、（５）受信開始時刻、（６）受信終了時刻、（７）受信ページ数、（８）受信／印刷出力の状態の各データを作成し、本受信メールの分割順序に対応したサブデータ格納部５０Ｂの対応する各データ格納領域５６〜５９に格納する（ステップＳ１１５／ステップＳ１１６）。
【００６８】
詳細には、まず受信メールのファイルＩＤをファイルＩＤデータ格納領域５１に格納する。このファイルＩＤは履歴リスト５０を識別するための情報として使用する。また、受信メールの受信ＩＤ（たとえば、受信順序に従って割り振った番号など）を作成して受信ＩＤデータ格納領域５２に格納する。
【００６９】
受信日時については、受信メールの受信開始時に時計部２４から日時情報を取得して、年／月／日／時／分を受信日時データ格納領域５３に格納する。発信元名については、受信メールに記載されている発信元名を取得して、発信元名データ格納領域５４に格納する。発信元の電子メールアドレスについては、受信メールに記載されている発信元の電子メールアドレスを取得して、アドレスデータ格納領域５５に格納する。
【００７０】
受信開始時刻については、受信メールの受信開始時に時計部２４から取得した日時情報の時／分／秒を受信開始時刻データ格納領域５６に格納する。受信終了時刻については、受信メールの受信終了時に時計部２４から日時情報を取得して、時／分／秒を受信終了時刻データ格納領域５７に格納する。
【００７１】
受信ページ数については、メールヘッダ解析部１７から通知された解析結果に含まれる本メールのページ総数（図３参照）をページ数データ格納領域５８に格納する。受信／印刷出力の状態については、異常（通信エラー）、印刷待ち、印刷ページ番号、正常の何れかを示す状態データを状態データ格納領域５９に格納する。
【００７２】
状態データの詳細については、たとえば、ページ分割の電子メールを受信するときに通信エラーが発生した場合には、異常を示すデータを格納する。本受信メールに添付された画像データの印刷が待機状態となっている場合には、印刷待ちを示すデータを格納する。印刷中の場合には、その印刷中のページ番号を示すデータを格納する。用紙ジャムや用紙切れなどにより印刷を停止した場合には、印刷を終えたページ番号を示すデータを格納する。印刷出力が正常に終了した場合には、正常を示すデータを格納する。
【００７３】
通信エラーについては、ページ分割のメール数（分割数）を把握している中で、最後の送信メールを受信できない、もしくは途中の送信メールを受信できない場合に、一定時間のタイムアウト時間を持って通信エラーと判断する。また、ＣＰＵ１１による印刷の指示から印刷部２１による印刷出力の終了までには、印刷待ち、印刷中（場合によって印刷停止）、印刷出力の正常終了の順に状態が変化する。状態データ格納領域５９に格納される状態データは、この動作状態の変化に応じて入れ替えられる。
【００７４】
ＣＰＵ１１は、ページ分割の受信メールのうちの１通信分に対して、履歴情報格納部１６に確保した履歴リスト５０に上記の各データを格納すると、本処理を終了する。
【００７５】
また、同一ファイルＩＤの格納された履歴リスト５０が有る場合には（ステップＳ１１３；Ｙｅｓ）、ＣＰＵ１１は、本受信メールの受信開始時刻データ、受信終了時刻データ、ページ数データ、状態データのみを作成する（ステップＳ１１５）。作成した各データは、同一ファイルＩＤの履歴リスト５０における本受信メールの分割順序に対応したサブデータ格納部５０Ｂの各データ格納領域５６〜５９に格納する（ステップＳ１１６）。
【００７６】
このように、ページ分割にされた同一ファイルＩＤの複数の受信メールに対しては、１通目を受信したときに履歴情報格納部１６に新たに１つの履歴リスト５０が確保されて、その履歴リスト５０のメインデータ格納部５０Ａに、ファイルＩＤ、受信ＩＤ、発信元名、発信元の電子メールアドレスの各データが格納されると共に、１通目の受信メールに対する受信開始時刻、受信終了時刻、受信ページ数、受信／印刷出力の状態の各データがその受信メールの分割順序に対応するサブデータ格納部５０Ｂに格納される。また２通目以降を受信したときには、既に確保されている履歴リスト５０に、２通目以降の受信メールに対する受信開始時刻、受信終了時刻、受信ページ数、受信／印刷出力の状態の各データのみがその受信メールの分割順序に対応するサブデータ格納部５０Ｂに格納される。そして、同一ファイルＩＤのメールを全て受信すると、１つの履歴リスト５０における全データ格納領域へのデータ格納が完了する。
【００７７】
なお、履歴リスト５０に設けられた複数のサブデータ格納部５０Ｂへのデータ格納はメールの受信順に従って行われる。仮に、ページ分割された複数の電子メールが分割順序に従って送信されたとしても、ネットワーク経路の違いなどで分割順序通りに受信するとは限らない。そのため、サブデータ格納部５０Ｂへのデータ格納は分割順序通りに行われない場合もある。また、ネットワーク経路の違いなどで同一ファイルＩＤの全メールを連続的に受信しない場合もある。たとえば、途中で異なるファイルＩＤの電子メールを受信した場合には、そのファイルＩＤに対応する新たな履歴リストが履歴情報格納部１６に確保されてデータ格納が行われることになり、このように複数の履歴リストに対して並行的にデータ格納が行われることもある。
【００７８】
一方、メールヘッダ解析部１７からの通知に分割数または分割順序が含まれていない場合には、ＣＰＵ１１は本受信メールがページ分割によるメールではなく、本受信メールに添付されている画像データはページ分割されていないと判定する（ステップＳ１１２；Ｎｏ）。この場合、ＣＰＵ１１はＨＤＤ１５に格納されている画像データを印刷部２１に転送して印刷を指示する。
【００７９】
またＣＰＵ１１は、本受信メールの履歴情報を格納するための履歴リスト６０（図５参照）を履歴情報格納部１６に確保する（ステップＳ１１４）。この履歴リスト６０には、履歴リスト５０と同様に、ファイルＩＤデータ格納領域６１、受信ＩＤデータ格納領域６２、受信日時データ格納領域６３、発信元名データ格納領域６４、アドレスデータ格納領域６５を備えたメインデータ格納部６０Ａを１つ設ける。また、受信開始時刻データ格納領域６６、受信終了時刻データ格納領域６７、ページ数データ格納領域６８、状態データ格納領域６９を備えたサブデータ格納部６０Ｂは１つだけ設ける。
【００８０】
そして、ページ分割の１通目の電子メールを受信したときと同様の手順で、受信ＩＤ、受信日時、発信元名、発信元の電子メールアドレスの各データを作成し、本受信メールのファイルＩＤと共にメインデータ格納部６０Ａの各データ格納領域６１〜６５に格納する。さらに、受信開始時刻、受信終了時刻、受信ページ数、受信／印刷出力の状態の各データを作成し、サブデータ格納部６０Ｂの各データ格納領域６６〜６９に格納して（ステップＳ１１６）、本処理を終了する。
【００８１】
なお、履歴情報格納部１６に格納できる履歴情報の量（履歴件数）は、履歴情報格納部１６の容量に応じて決まっている。新たな受信メールの履歴情報を履歴情報格納部１６に格納すると容量を超過する場合には、古い履歴情報から順に削除されて新たな履歴情報が格納されるようになる。
【００８２】
図６は、画像形成装置１０によるインターネットファックスのファックス受信履歴を表示する履歴表示モードの動作の処理の流れを示している。図７〜図１０は、履歴表示モードにて画像形成装置１０の操作表示部１９に表示される表示画面を示している。
【００８３】
ＣＰＵ１１は、ユーザによる操作表示部１９への入力操作で履歴表示モードが選択されたか否かを判定する（ステップＳ１２１）。履歴表示モードが選択されなければ（ステップＳ１２１；Ｎｏ）、本処理を終了する。
【００８４】
履歴表示モードが選択されると（ステップＳ１２１；Ｙｅｓ）、ＣＰＵ１１は履歴情報格納部１６の履歴リスト５０、６０（図５参照）から履歴情報を読み出して操作表示部１９に送信し、操作表示部１９に図７に示すＦＡＸ受信履歴画面７０（第１表示画面）を表示させる（ステップＳ１２２）。
【００８５】
ＦＡＸ受信履歴画面７０には、受信履歴覧７１、詳細ボタン７６、戻るボタン７７が表示される。受信履歴覧７１には、複数列設けられた受信ＩＤ欄７２、受信日時欄７３、発信元情報欄７４に、履歴リスト５０、６０のメインデータ格納部５０Ａ、６０Ａから読み出された各データによってそれらの情報が表示される。また結果欄７５に、履歴リスト５０、６０のサブデータ格納部５０Ｂ、６０Ｂ（状態データ格納領域５９、６９）から読み出された状態データによって状態情報（結果）が表示される。
【００８６】
この受信履歴覧７１における表示では、受信ＩＤデータ格納領域５２に格納されている受信ＩＤ（もしくは、受信日時データ格納領域５３に格納されている受信日時）の新しい履歴リスト５０、６０から順に、上記の各データが読み出され、その各データによって表される各情報が受信ＩＤ（もしくは、受信日時）の新しい順に上から下へ所定数（最大表示可能件数）だけ配列して表示される。
【００８７】
結果欄７５には、途中でエラー停止した場合には「ＮＧ」が表示される。処理中の場合には「−」が表示される。印刷出力まで正常終了した場合には「ＯＫ」が表示される。
【００８８】
ページ分割の場合は、複数の分割画像データを個別に受信して個別に印刷するため、各分割画像データの処理の状態が同じにならないときもある。すなわち、全ての分割画像データに対する印刷出力までの処理が正常に終了した場合、あるいは、全ての分割画像データが途中でエラー停止した場合には、各分割画像データの処理の状態が同じになるが、これらの他は複数の状態が混在することになる。このように複数の状態が混在するときは、結果欄７５に代表となる状態が一つだけ表示される。たとえば、表示の優先順位を高い方から順に、エラー停止、処理中、正常終了とし、複数の状態が混在する場合にはこの優先順位に従って代表となる状態を一つだけ表示する。
【００８９】
また、詳細ボタン７６は受信ＩＤに対応させて受信履歴覧７１の右側に表示され、戻るボタン７７は詳細ボタン７６の下方に表示される。
【００９０】
なお、図７に示す例では、受信履歴覧７１に最新６通信分の受信ＩＤ２０〜受信ＩＤ１５の受信履歴が表示されており、結果欄７５には受信ＩＤ２０は処理中であることを表す「−」、受信ＩＤ１８は途中でエラー停止したことを表す「ＮＧ」、受信ＩＤ１９および受信ＩＤ１７〜ＩＤ１５は印刷出力の正常終了を表す「ＯＫ」が表示されている。
【００９１】
このＦＡＸ受信履歴画面７０において、詳細ボタン７６または戻るボタン７７が押下されなければ（ステップＳ１２３；Ｎｏ／ステップＳ１２４；Ｎｏ）、ＦＡＸ受信履歴画面７０の表示を継続する。戻るボタン７７が押下された場合には（ステップＳ１２４；Ｙｅｓ）、ＣＰＵ１１は履歴表示モードを抜け出して本処理を終了する。
【００９２】
詳細ボタン７６が押下された場合には（ステップＳ１２３；Ｙｅｓ）、ＣＰＵ１１は、押下された詳細ボタン７６の受信ＩＤに対応する受信履歴情報の詳細な表示に切り換え、操作表示部１９に図８や図１０に示すＦＡＸ受信履歴詳細画面８０（８０Ａ、８０Ｂ）（第２表示画面）を表示させる（ステップＳ１２５）。
【００９３】
ＦＡＸ受信履歴詳細画面８０には、受信ＩＤ８１、受信履歴詳細覧８２、戻るボタン８８、必要に応じて次へボタン８９が表示される。
【００９４】
受信履歴詳細覧８２には、受信日時欄８３、発信元情報欄８４、発信元アドレス／電話番号欄８５に、受信ＩＤに対応する履歴リスト５０、６０のメインデータ格納部５０Ａ、６０Ａから読み出された各データによってそれらの情報が表示される。受信履歴詳細覧８２の通信履歴欄８６には、同じ履歴リスト５０、６０のサブデータ格納部５０Ｂ、６０Ｂから読み出された各データによってそれらの情報が表示される。通信履歴欄８６に対応して設けられた状態欄８７には、同じ履歴リスト５０、６０のサブデータ格納部５０Ｂ、６０Ｂ（状態データ格納領域５９、６９）から読み出された状態データによって状態情報が表示される。
【００９５】
状態欄８７には、通信エラーによる異常の場合には「ＮＧ」が表示される（図１０参照）。印刷待ちの場合には「−」が表示される（図８および図１０参照）。印刷中の場合には印刷中のページ番号が表示される（図８参照）。用紙ジャムや用紙切れなどにより印刷が停止した場合には印刷を終えたページ番号が表示される。印刷出力が正常に終了した場合には「ＯＫ」が表示される（図８および図１０参照）。
【００９６】
この状態欄８７の表示において、印刷中のページ番号が状態欄８７に表示される場合だけは、その状態欄８７は押下操作を受け付ける状態ボタン８７Ａ（図８参照）として表示される。また図１０に示すように、状態欄８７に「ＮＧ」が表示された場合には、通信履歴欄８６には通信履歴の情報に換えて、たとえば「通信エラーにより受信できません」などのメッセージが表示される。
【００９７】
また、本受信ＩＤに対応する履歴リストがページ分割された受信メールの履歴情報を格納した履歴リスト５０である場合には、通信履歴欄８６と状態欄８７が複数列設けられ、分割順序に従って上から下へ通信履歴が所定数（最大表示可能件数）だけ配列して表示される（図８および図１０参照）。さらに受信日時欄８３には、受信日時（年／月／日）の他に、最初の受信メールの受信開始時刻（時／分）、最後の受信メールの受信終了時刻（時／分）、全受信メールのページ数を合計した総頁数も表示される。
【００９８】
総頁数は、本実施の形態の履歴リスト５０（図５参照）であれば、複数設けたページ数データ格納領域５８に格納されている各ページ数データを加算することで算出できる。また図３（Ｂ）に示したように、画像データのヘッダに「総ページ数」が付加されている場合には、その総ページ数データを履歴リスト５０に別途格納して総頁数の表示に使用するようにしてもよい。
【００９９】
さらに、ページ分割の受信履歴表示では、分割数（受信数）が受信履歴詳細覧８２における通信履歴の表示可能件数を超える場合には（分割数（受信数）＞通信履歴の表示可能件数）、次へボタン８９が表示される。
【０１００】
また、本受信ＩＤに対応する履歴リストが非分割の受信メールの履歴情報を格納した履歴リスト６０である場合には、通信履歴欄８６と状態欄８７が１列設けられて１通信分の通信履歴が表示される（図示省略）。さらにこの場合も、受信日時欄８３には受信日時（年／月／日）に加えて、１通のみ受信した受信メールの受信開始時刻（時／分）や受信終了時刻（時／分）などが表示される。
【０１０１】
このＦＡＸ受信履歴詳細画面８０において、状態ボタン８７Ａまたは戻るボタン８８または次へボタン８９が押下されなければ（ステップＳ１２６；Ｎｏ／ステップＳ１２７；Ｎｏ／ステップＳ１２８；Ｎｏ）、ＦＡＸ受信履歴詳細画面８０の表示を継続する。戻るボタン８８が押下された場合には（ステップＳ１２７；Ｙｅｓ）、ＣＰＵ１１は操作表示部１９の表示をＦＡＸ受信履歴画面７０に戻す（ステップＳ１２２／図７参照）。
【０１０２】
次へボタン８９が押下された場合には（ステップＳ１２８；Ｙｅｓ）、ＦＡＸ受信履歴詳細画面８０の通信履歴欄８６と状態欄８７に、履歴リスト５０における次番のサブデータ格納部５０Ｂから読み出した各データを使用して、通信履歴および状態情報が分割順序に従って表示される。またこの表示においても、残りの通信履歴を表示しきれない場合には次へボタン８９が表示され、次へボタン８９の繰り返し押下により最後の通信履歴が表示されると、次へボタン８９は表示されなくなる。
【０１０３】
状態ボタン８７Ａ（図８参照）が押下された場合には（ステップＳ１２６；Ｙｅｓ）、ＣＰＵ１１は、操作表示部１９に図９に示すＦＡＸ印刷中画面９０を表示させる（ステップＳ１２９）。このＦＡＸ印刷中画面９０では、印刷部２１による画像データの印刷にて現在印刷中のページ番号の情報（たとえば、「４５／１００ページ目印刷中」など）と、戻るボタン９１が表示される。
【０１０４】
戻るボタン９１が押下されなければ（ステップＳ１３１；Ｎｏ）、ＦＡＸ印刷中画面９０の表示を継続する。戻るボタン９１が押下された場合には（ステップＳ１３１；Ｙｅｓ）、ＣＰＵ１１は操作表示部１９の表示をＦＡＸ受信履歴詳細画面８０に戻す（ステップＳ１２５）。
【０１０５】
以上説明したように、本実施の形態に係る画像形成装置１０では、インターネットファックスの受信履歴の表示において、ＦＡＸ受信履歴画面７０（図７参照）ではページ分割による複数通信分の受信履歴が１通信分の受信履歴で表示されるため、関連する複数の受信履歴が羅列表示されるなどの表示の煩雑性が解消され、受信履歴が見やすくなる。たとえば、メモリ容量や表示エリアの制約などで受信履歴の表示件数が制限されるような場合でも、関連する受信履歴が複数表示されなくなることで、分割前の画像データを単位とする受信履歴をより多くかつ見やすく表示することができる。また、ユーザはページ分割による通信が行われたか否かを認識する必要がないため、ページ分割／非分割に関わらず何れの受信履歴も１通信分で表示すれば十分である。
【０１０６】
また、ＦＡＸ受信履歴画面７０に表示される詳細ボタン７６を押下操作することで、表示画面をＦＡＸ受信履歴詳細画面８０（図８（８０Ａ）および図１０（８０Ｂ）参照）に切り換えることができ、ＦＡＸ受信履歴詳細画面８０に表示される戻るボタン８８を押下操作することで、表示画面をＦＡＸ受信履歴画面７０に切り換えることができる。ＦＡＸ受信履歴画面７０では、ページ分割による複数通信分の受信履歴が１通信分として一括表示されるため、関連する複数通信分の包括的な受信履歴（受信状況）を確認することができる。またＦＡＸ受信履歴詳細画面８０では、ページ分割による複数通信分の受信履歴が個別表示されるため、各々の詳細な受信履歴（受信状況）を確認することができる。受信履歴の確認や検索では、必要に応じて表示画面を切り換えることにより、所望の受信履歴（検索結果）に簡単に辿り着けるようになる。
【０１０７】
また、分割画像データを添付する電子メールには、各々のデータの関係性を示す情報として、複数に分割されたデータの分割元が同一であることを示すファイルＩＤ（識別情報）、分割数、分割順序、およびデータ送信時のページなどを付加している。
【０１０８】
これにより、ファイルＩＤに基づいて分割元が同一である分割画像データ同士を識別でき、複数に分けて受信した分割元が同一である各分割画像データの受信履歴を１通信分として表示できるようになる。また、分割数に基づいて全ての分割画像データが受信されたか否かを把握でき、通信エラーによるデータの受信異常なども認識できるようになる。
【０１０９】
また、分割画像データの受信順序に関わらず、受信履歴を個別に表示する際には分割順序に基づき元の順序に並べ替えて表示できるようになる。さらに、分割画像データを分割順序に従って印刷出力できるようになり、ページ順通りの印刷出力も可能になる。
【０１１０】
また、全メール（全データ）の受信によって最終的に届くページ数は、ＦＡＸ受信履歴詳細画面（図８および図１０参照）に表示される総ページ数（データ送信時のページ）により予め把握できる。たとえば、従来は印刷物に総ページ数が記載されないと、次の通信があるのか判断が困難になるが、最終的に届くページ数を予め把握できることで、残りの通信数なども予測できるようになる。
【０１１１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１１２】
たとえば、実施の形態では、ファックス受信履歴の表示に使用する履歴情報を履歴情報格納部１６に格納する際に、ページ分割による複数通信の履歴情報は一括して履歴リスト５０（図５参照）に格納するようにしているが、このページ分割による複数通信の履歴情報は個別に格納するようにしてもよい。その場合には、個別に格納する各履歴情報に検索用ＩＤなどを付与することで、その検索用ＩＤに基づいて各履歴情報を検索し、実施の形態で説明したように１通信分の履歴情報で表示することができる。
【０１１３】
また実施の形態では、ページ分割における履歴情報のデータ構造（履歴リスト５０）と、非分割における履歴情報のデータ構造（履歴リスト６０）とを同じデータ構造としているが、これらのデータ構造は異ならせてもよい。
【０１１４】
また実施の形態では、ページ分割された各々のデータの関係性を示す情報（付加情報）として、複数に分割されたデータの分割元が同一であることを示す識別情報（ファイルＩＤ）、分割数、分割順序、およびデータ送信時のページなどを付加している。ただし、ページ分割されたデータの受信履歴を１通信分として表示するためにこれらの付加情報が全て必要となるわけではない。分割元が同一であるデータ同士は上記の識別情報によって識別可能であるため、少なくとも識別情報があれば複数の受信履歴を１通信分として表示することができる。
【０１１５】
また、上記の付加情報は、画像データまたは画像データが添付される電子メールの何れか一方に付加する、あるいは、画像データと電子メールに分散して付加するようにしてもよい。
【０１１６】
また、実施の形態では画像形成装置１０の読取部２０でスキャンした原稿の画像データなどをインターネットファックスにより送受信する場合を例に説明したが、インターネットファックスにより送受信するデータは画像形成装置１０にてスキャンしたものに限らない。たとえば、ネットワークを介して接続されたパーソナルコンピュータなどから、インターネットファックスの依頼を受けて受信する画像データや文書データなどでもよい。
【０１１７】
また、本発明に係るデータ受信装置は、実施の形態で説明した複合機に限らず、インターネットファックス機能を備えたファクシミリ装置などの他の画像形成装置にも適用可能である。
【図面の簡単な説明】
【０１１８】
【図１】本発明の実施の形態に係る画像形成装置の構成を示すブロック図である。
【図２】本発明の実施の形態に係る画像形成装置によるインターネットファックスの送信動作の処理の流れを示すフローチャートである。
【図３】本発明の実施の形態に係る画像形成装置によりインターネットファックスにて送信される、（Ａ）は電子メールのヘッダ情報を示す図、（Ｂ）は電子メールに添付される画像データのヘッダ情報を示す図である。
【図４】本発明の実施の形態に係る画像形成装置によるインターネットファックスの受信動作の処理の流れを示すフローチャートである。
【図５】本発明の実施の形態に係る履歴情報格納部に格納される履歴情報のデータ構造を示す図である。
【図６】本発明の実施の形態に係る画像形成装置によるインターネットファックスの受信履歴を表示するモードの動作の処理の流れを示すフローチャートである。
【図７】本発明の実施の形態に係る画像形成装置の操作表示部に表示されるＦＡＸ受信履歴の表示画面を示す図である。
【図８】本発明の実施の形態に係る画像形成装置の操作表示部に表示されるＦＡＸ受信履歴詳細１の表示画面を示す図である。
【図９】本発明の実施の形態に係る画像形成装置の操作表示部に表示されるＦＡＸ印刷中の表示画面を示す図である。
【図１０】本発明の実施の形態に係る画像形成装置の操作表示部に表示されるＦＡＸ受信履歴詳細１の表示画面を示す図である。
【符号の説明】
【０１１９】
１０…画像形成装置
１１…ＣＰＵ
１２…ＲＯＭ
１３…ＲＡＭ
１４…入出力バッファ
１５…ＨＤＤ
１６…履歴情報格納部
１７…メールヘッダ解析部
１８…画像タグ解析部
１９…操作表示部
２０…読取部
２１…印刷部
２２…ネットワークインターフェース部
２３…バス
２４…時計部
２５…受信履歴表示装置
４０…E‐mailサーバ
５０…履歴リスト
５０Ａ…メインデータ格納部
５０Ｂ…サブデータ格納部
５１…ファイルＩＤデータ格納領域
５２…受信ＩＤデータ格納領域
５３…受信日時データ格納領域
５４…発信元名データ格納領域
５５…アドレスデータ格納領域
５６…受信開始時刻データ格納領域
５７…受信終了時刻データ格納領域
５８…ページ数データ格納領域
５９…状態データ格納領域
６０…履歴リスト
６０Ａ…メインデータ格納部
６０Ｂ…サブデータ格納部
６１…ファイルＩＤデータ格納領域
６２…受信ＩＤデータ格納領域
６３…受信日時データ格納領域
６４…発信元名データ格納領域
６５…アドレスデータ格納領域
６６…受信開始時刻データ格納領域
６７…受信終了時刻データ格納領域
６８…ページ数データ格納領域
６９…状態データ格納領域
７０…ＦＡＸ受信履歴画面
７１…受信履歴覧
７２…受信ＩＤ欄
７３…受信日時欄
７４…発信元情報欄
７５…結果欄
７６…詳細ボタン
７７…戻るボタン
８０（８０Ａ、８０Ｂ）…ＦＡＸ受信履歴詳細画面
８１…受信ＩＤ
８２…受信履歴詳細覧
８３…受信日時欄
８４…発信元情報欄
８５…発信元アドレス／電話番号欄
８６…通信履歴欄
８７…状態欄
８７Ａ…状態ボタン
８８…戻るボタン
８９…次へボタン
９０…ＦＡＸ印刷中画面
９１…戻るボタン
【図１】
0004941183.tif 000002
【図２】
0004941183.tif 000003
【図３】
0004941183.tif 000004
【図４】
0004941183.tif 000005
【図５】
0004941183.tif 000006
【図６】
0004941183.tif 000007
【図７】
0004941183.tif 000008
【図８】
0004941183.tif 000009
【図９】
0004941183.tif 000010
【図１０】
0004941183.tif 000011